(57)【特許請求の範囲】
【請求項１】
商用電源の供給を室外機から複数の室内機に行なうマルチタイプ空気調和機において、室外機の整流回路及び圧縮機駆動回路、電磁弁、ファンモータはリレー群を介して接続され、各室内機が停止すると前記各室内機から停止信号が室外機制御回路に送られ、すべての室内機が停止後一定時間経過すると前記リレー群がＯＦＦされ、少なくとも１台の室内機の運転開始時にはその室内機からの運転開始信号を室外機制御回路が受け、前記リレー群をＯＮさせる構成としたマルチタイプ空気調和機。
【請求項２】
全ての室内機が停止中に少なくとも１台の室内機の運転予約タイマがセットされた時、室外機に設けられた室外機空気温度検出手段が一定時間を越えて一定温度以下を検出した場合に、整流回路及び圧縮機駆動回路に接続されたリレーをＯＮにし、圧縮機モータ巻線に微弱電流を通電し、与熱動作を行う請求項１記載のマルチタイプ空気調和機
【請求項３】
室内機にスイッチが設けられ、前記スイッチがＯＮされた時、整流回路、及び、圧縮機駆動回路に接続されたリレーをＯＮし、冷房運転を継続する請求項１または２記載のマルチタイプ空気調和機。
【請求項４】
商用電源の供給を特定の室内機から、他の室内機、及び室外機に行なうマルチタイプ空気調和機において、室外機の整流回路及び圧縮機駆動回路、電磁弁、ファンモータはリレー群を介して接続され、各室内機が停止すると前記各室内機から停止信号が室外機制御回路に送られ、すべての室内機が停止後一定時間経過すると前記リレー群がＯＦＦされ、また、少なくとも１台の室内機の運転開始時には室内機からの運転開始信号を室外機制御回路が受け、前記リレー群をＯＮさせる構成としたマルチタイプ空気調和機。
【発明の詳細な説明】
【０００１】
【発明の属する技術分野】
本発明は、空気調和機に関するものである。
【０００２】
【従来の技術】
従来、マルチタイプの空気調和機において、商用電源は室外機から複数機の室内機に供給されている。室外機の商用電源は、室外機制御回路や圧縮機駆動回路に供給されている。
【０００３】
図４は従来からあるマルチタイプの空気調和機のリレーと各種アクチュエータの動作の図である。
【０００４】
室外機が全ての室内機から運転停止信号を受けた後、圧縮機駆動回路の出力を停止し突入電流防止リレーＲＹ−ＰＷＲをＯＦＦする。次にファンモータ駆動リレーＲＹ−ＦＭ、二方弁７、四方弁６をそれぞれＯＦＦするが、電源供給リレーＲＹ−ＡＣはＯＮのままであり、常時商用電源が供給された状態になっていた。
【０００５】
【発明が解決しようとする課題】
しかしながら、上記従来の構成では、室外機に供給された商用電源は、室外機制御回路や圧縮機駆動回路に常時供給され、全ての室内機が停止中においても、室外機で電力の消費が発生していた。
【０００６】
本発明はこのような従来の課題を解決するものであり、空気調和機の停止時の消費電力を減少させることを目的とする。
【０００７】
【課題を解決するための手段】
上記課題を解決するために請求項１記載の本発明は、商用電源の供給を室外機から複数の室内機に行なうマルチタイプ空気調和機において、室外機の整流回路及び圧縮機駆動回路、電磁弁、ファンモータはリレー群を介して接続され、各室内機が停止すると前記各室内機から停止信号が室外機制御回路に送られ、すべての室内機が停止後一定時間経過すると前記リレー群がＯＦＦされ、また、少なくとも１台の室内機の運転開始時には室内機からの運転開始信号を室外機制御回路が受け、前記リレー群をＯＮさせる構成となっている。
【０００８】
そして、この構成によれば、全ての室内機が停止中において、整流回路や圧縮機駆動回路に電源の供給がされないために空気調和機停止時に発生する消費電力が削減できる。
【０００９】
また、請求項２記載の本発明は、全ての室内機が停止中に少なくとも１台の室内機の運転予約タイマがセットされた時、室外機に設けられた室外機空気温度検出手段が一定時間を越えて一定温度以下を検出した場合に、整流回路及び圧縮機駆動回路に接続されたリレーをＯＮにし、圧縮機モータ巻線に微弱電流を通電し、与熱動作を行うもので、全ての室内機が停止中であっても圧縮機への通電が必要なときには前記リレーをＯＮすることにより通電が可能となる。
【００１０】
また、請求項３記載の本発明は、室内機にスイッチが設けられ、前記スイッチがＯＮされた時、整流回路、及び、圧縮機駆動回路に接続されたリレーをＯＮし、冷房運転を継続するものであり、連続した冷房運転時には整流回路や圧縮機駆動回路に電源の供給が可能となる。
【００１１】
さらに、請求項４記載の本発明は、商用電源の供給を特定の室内機から、他の室内機、及び室外機に行なうマルチタイプ空気調和機において、室外機の整流回路及び圧縮機駆動回路、電磁弁、ファンモータはリレー群を介して接続され、各室内機が停止すると前記各室内機から停止信号が室外機制御回路に送られ、すべての室内機が停止後一定時間経過すると前記リレー群がＯＦＦされ、また、少なくとも１台の室内機の運転開始時には室内機からの運転開始信号を室外機制御回路が受け、前記リレー群をＯＮさせる構成であり、室内のコンセントから商用電源の供給が可能となる。
【００１２】
【発明の実施の形態】
以下本発明の実施の形態について図面を参照して説明する。
【００１３】
（実施の形態１）
図１は本発明における実施の形態１における空気調和機の制御構成ブロック図である。商用電源の供給は室外機から複数の室内機に行なわれており、四方弁６、二方弁７、ファンモータ８は各々ＲＹ−ＨＯＴ，ＲＹ−２ＣＶ，ＲＹ−ＦＭを介して接続され、整流回路３、圧縮機駆動回路４は電源供給リレー１を介して接続されている。
【００１４】
図２は各リレーやアクチュエータの動作を示した図であり、図３は室外機制御回路の構成図である。特定の室内機が運転開始時には、室内機より運転開始信号が室外機通信回路を介して、マイコン９に送られ、前記マイコン９からの信号により、電源供給リレー１をＯＮし、一定時間突入電流防止抵抗２を介して、整流回路３、及び、圧縮機駆動回路４に電源を供給後、突入防止リレー５をＯＮする。また、マイコン９からの信号により、四方弁６、二方弁７、ファンモータ８に接続されたリレーＲＹ−ＨＯＴ，ＲＹ−２ＣＶ，ＲＹ−ＦＭをＯＮする。
【００１５】
また、圧縮機駆動回路４からの信号により、圧縮機を運転させる。
【００１６】
室内機が停止した時は室内機より運転停止信号が室外機通信回路を介して、マイコン９に送られ、全ての室内機が停止し一定時間経過した後、圧縮機駆動回路の出力を停止し、マイコン９からの信号により、電源供給リレー１、四方弁６、二方弁７、ファンモータ８に接続されているリレーＲＹ−ＨＯＴ，ＲＹ−２ＣＶ，ＲＹ−ＦＭをＯＦＦさせる。
【００１７】
（実施の形態２）
図６は本発明の実施の形態２における圧縮機モータ巻き線の与熱制御を行なう条件を示したフローである。
【００１８】
全ての室内機が停止中で、少なくとも１台の室内機の運転予約タイマがセットされた状態において、冬期など外気温度が一定時間一定値以下の時に圧縮機の起動時の保護や暖房運転開始時の圧縮機の能力を向上させるため圧縮機巻線の与熱制御を行なう時には、電源供給リレーＲＹ−ＡＣ、突入電流防止リレーＲＹ−ＰＷＲをＯＮし、整流回路３、圧縮機駆動回路４に電源の供給を行い圧縮機モータ巻線に微弱電流を流すようにしている。
【００１９】
（実施の形態３）
図７は本発明の実施の形態３における継続した冷房運転を行なう条件を示したフローである。
【００２０】
空気調和機の移設工事など、冷媒を室外機に回収する時など継続した冷房運転を行なう場合に、室内機に設けられたスイッチをＯＮすると電源供給リレーＲＹ−ＡＣ、突入電流防止リレーＲＹ−ＰＷＲがＯＮし、整流回路３、圧縮機駆動回路４に電源の供給を行い圧縮機を連続運転させる。
【００２１】
（実施例４）
図５は、本発明の実施の形態４における空気調和機の制御構成ブロック図であり、商用電源の供給を特定の室内機から他の室内機、及び、室外機へ行う。
【００２２】
特定の室内機が運転開始時には、室内機より運転開始信号が室外機に送られ、電源供給リレー１をＯＮする。整流回路３、及び、圧縮機駆動回路４に電源が供給され、圧縮機駆動回路４からの信号により、圧縮機を運転させる。
【００２３】
また運転停止時は全ての室内機が停止してから一定時間経過した後、電源供給リレー１をＯＦＦさせ、整流回路や圧縮機駆動回路への電源の供給を断ち、四方弁６、二方弁７、ファンモータ８に接続されているリレーをＯＦＦさせる。
【００２４】
【発明の効果】
上記実施の形態から明らかなように、請求項１に記載の発明は、複数ある室内機の１台の運転開始時にリレーをＯＮすることにより整流回路や圧縮機駆動回路に電源の供給を行い、全ての室内機が停止時には、リレーをＯＦＦすることにより整流回路や圧縮機駆動回路への電源供給を停止する。
【００２５】
したがって、室内機全てが停止時において室外機の整流回路や圧縮機駆動回路で消費される電力を無くすことができ、その結果、空気調和機の停止中における消費電力が低減できるという効果を奏する。
【００２６】
請求項２に記載の発明は、空気調和機が停止中において、外気温度が低い場合など、圧縮機の起動時の保護や暖房運転開始時の圧縮機の能力向上が必要な場合に、圧縮機のモータ巻き線に微少電流を流す与熱運転時には、リレーをＯＮさせることにより、整流回路や圧縮機駆動回路に電源の供給を行う。
【００２７】
その結果、空気調和機が停止時において、消費電力が低減できると同時に、空気調和機が停止中であっても、圧縮機へ通電が必要な時だけ、整流回路や圧縮機駆動回路に電源の供給が出来るという効果を奏する。
【００２８】
請求項３に記載の本発明は、室内機に設けられたスイッチがＯＮされたとき、整流回路や圧縮機駆動回路に接続されたリレーをＯＮし、継続した冷房運転が出来る。
【００２９】
その結果、空気調和機が停止時の消費電力削減と、空気調和機の移設工事において冷媒を室外機に回収するために冷房の継続運転が出来るという効果を奏する。
【００３０】
請求項４に記載の本発明は、商用電源の供給を室内機で行い、室外機のリレーにより圧縮機駆動回路への電源供給を制御することにより、停止中の消費電力の削減と室内コンセントから商用電源の供給が可能となる効果を奏する。
【図面の簡単な説明】
【図１】本発明の実施の形態１を示す空気調和機の構成ブロック図
【図２】同実施の形態１を示すリレーと各種アクチュエータの動作の図
【図３】同実施の形態１を示す空気調和機室外機の制御回路のブロック図
【図４】同実施の形態１における従来技術のリレーと各種アクチュエータの動作の図
【図５】同実施の形態４を示す空気調和機室外機のブロック図
【図６】本発明の請求項２を示す圧縮機モータ巻き線への与熱制御を行う条件を示した図
【図７】本発明の請求項３を示す冷房継続運転制御を行う条件を示した図
【符号の説明】
１  電源供給リレー
２  突入電流防止抵抗
３  整流回路
４  圧縮機駆動回路
５  突入電流防止リレー
６  四方弁
７  二方弁
８  ファンモータ
９  マイコン
【図１】
0003867465.tif 000002
【図２】
0003867465.tif 000003
【図３】
0003867465.tif 000004
【図４】
0003867465.tif 000005
【図５】
0003867465.tif 000006
【図６】
0003867465.tif 000007
【図７】
0003867465.tif 000008